(57)【特許請求の範囲】
【請求項１】
挿入端部及び一対の係止部が設けられた中空筒形の雌部材と、基部の一端に突設させた弾性脚部に前記係止部と対向し且つ係合する一対の係合部が設けられた雄部材とからなるバックルにおいて、前記雄部材の前記弾性脚部は、前記基部が平板の厚み方向に貫通した孔を有する枠状体であり、前記枠状体の前記孔に面する２つの平行な平面状側面に対して垂直方向に薄板状に形成され、前記基部の一端側から順に第１傾斜部、押圧部、肉薄状の溝からなる係止溝部、前記係合部、第２傾斜部がそれぞれ一対に配置されており直線状の先端部により当該弾性脚部の先端側が連結されて閉鎖状の枠体に形成され、前記係止溝部の近傍の前記基部側に係合状態を解除する一対の前記押圧部が外向きにアーム状に突出して形成され、前記雌部材の中空筒は、前記挿入端部側から順に挿入部、前記係止部がそれぞれ一対に配置されており、前記挿入端部の両側には前記雄部材の一対の前記押圧部の突出アームが挿通される一対のガイド溝が設けられ、前記雄部材の前記弾性脚部の前記先端部には一対の切欠部が形成され、前記雌部材の前記中空筒の内側壁面には前記雄部材の挿入時において一対の前記切欠部が挿通される一対のガイド部が設けられ、前記雌部材の前記中空筒の内側壁面に前記雄部材の挿入完了状態において前記弾性脚部の前記先端部と当接し且つ分離する方向へ付勢する当接部を設け、前記雄部材の前記係止溝部が前記雌部材の前記係止部に係止するとともに、前記雄部材の前記先端部の外壁面が前記雌部材の前記当接部に当接すると挿入が完了して係合状態となることを特徴とするバックル。
【発明の詳細な説明】
【技術分野】
【０００１】
本発明は、バックルに関するものである。
【背景技術】
【０００２】
従来のバックルは、例えば特開２０００−１６６６１６号公報（特許文献１）には、雄部材の各係合部が押圧（操作）し易く、弾性片が破損する恐れのないバックルを提供することを目的とし、挿入孔および係止部が設けられた中空筒形の雌部材と、鍔部の前面の両端部に、係止部に係合する係合部が先端に設けられた挿入孔へ挿入される弾性片を対向させて設けた雄部材とからなるバックルにおいて、各係合部の一端側を鍔部の前面に第１弾性片で連結するとともに、各係合部の他端側同士を第２弾性片で連結し、第１弾性片を第２弾性片よりも薄肉にする「バックル」が提案されている。
【０００３】
また、特開２００４−３１３２６８号公報（特許文献２）には、サイドリリース型あるいはサイドプッシュ型のバックルにおいて、ロックアームの拡がり損傷を回避できるとともに、連結を外すための手動操作を十分に軽くできるバックルを提供することを目的とし、ソケットと、このソケットに先端側を差し込み可能かつソケットの両側を手動操作で押圧することで解除可能なプラグとを備え、プラグは基端側に形成される基部と、基部から先端側に延びる一対のロックアームと、ロックアームの中間部分に形成されてソケットの内側と係合可能な係合部と、ロックアームの中間部分に配置されて手動操作の際に押圧される押圧部とを備え、各ロックアームの中間部分を連結するブリッジを有する「バックル」が提案されている。
【０００４】
また、特開平７−１００００５号公報（特許文献３）には、小型で操作性が良好であると共に結合力の大きいことを目的とし、バックルは雄部材と雌部材とで構成され、雄部材を雌部材に挿入するだけで雄部材の第１の弾性突部の第１の係止部及び第２の弾性突部の第２の係止部が雌部材の筐体の第１の係合部及び第２の係合部に結合される。また、雄部材の第１の弾性突部の外側を押圧するだけで第２の弾性突部が押圧方向と略垂直方向に協動されそれぞれの結合が解除され分離される。これにより、構造を複雑とすることなく小型のままで、複雑な操作を必要とせず結合力を大きくすることができる「バックル」が提案されている。
【０００５】
また、特開平７−１５５２０７号公報（特許文献４）には、小型で操作性が良好で、安定した結合及び円滑な結合解除を得ることを目的とし、バックルは雄部材と雌部材とで構成され、雄部材を雌部材に挿入するだけで雄部材の弾性突部の係止部及び補助係止部が雌部材の筐体の係合部及び補助係合部に結合される。そして、雄部材の弾性突部の外側を弾性突部の先端同士が協動するまで押圧するとその押圧方向と略垂直方向で互いに反対方向に弾性変形しそれぞれの結合が外れ分離される。これにより、構造を複雑とすることなく小型のままで、複雑な操作を必要とせず安定した結合状態を得ることができると共に円滑な結合解除が可能となる「バックル」が提案されている。
【先行技術文献】
【特許文献】
【０００６】
【特許文献１】特開２０００−１６６６１６号公報
【特許文献２】特開２００４−３１３２６８号公報
【特許文献３】特開平７−１００００５号公報
【特許文献４】特開平７−１５５２０７号公報
【発明の概要】
【発明が解決しようとする課題】
【０００７】
しかし、上述した従来のバックルでは、雄部材に設けられた一対の係合部が雌部材に設けられた挿入部及び一対の係止部に挿入されて係合し、その係合状態を解除するときは、雌部材の操作用開口部から外部に露出している雄部材の各係合部を指先で押圧して解除する構成を採用しているため、係合及び解除の操作において指先が挟まれてしまうという課題を有している。また、雄部材に設けられた一対の係合部がそれぞれ独立しているものは、係合部が開放状態になっているため異物を引っかける又は挟み込むという課題を有している。さらに、がたつきを無くして安定化を図るために雄部材の係合部を厚くしているものは、解除の操作において強く押し込む必要があることから、操作性が良くないという課題も有している。
そこで、本発明は、従来のバックルよりも係合及び解除の操作性の向上を図ると共に、係合の安定性とがたつきの防止に優れたバックルを提供することを目的とする。
【課題を解決するための手段】
【０００８】
上記の課題を解決するために、請求項１に記載の発明は、挿入端部及び一対の係止部が設けられた中空筒形の雌部材と、基部の一端に突設させた弾性脚部に前記係止部と対向し且つ係合する一対の係合部が設けられた雄部材とからなるバックルにおいて、前記雄部材の前記弾性脚部は、前記基部が平板の厚み方向に貫通した孔を有する枠状体であり、前記枠状体の前記孔に面する２つの平行な平面状側面に対して垂直方向に薄板状に形成され、前記基部の一端側から順に第１傾斜部、押圧部、肉薄状の溝からなる係止溝部、前記係合部、第２傾斜部がそれぞれ一対に配置されており直線状の先端部により当該弾性脚部の先端側が連結されて閉鎖状の枠体に形成され、前記係止溝部の近傍の前記基部側に係合状態を解除する一対の前記押圧部が外向きにアーム状に突出して形成され、前記雌部材の中空筒は、前記挿入端部側から順に挿入部、前記係止部がそれぞれ一対に配置されており、前記挿入端部の両側には前記雄部材の一対の前記押圧部の突出アームが挿通される一対のガイド溝が設けられ、前記雄部材の前記弾性脚部の前記先端部には一対の切欠部が形成され、前記雌部材の前記中空筒の内側壁面には前記雄部材の挿入時において一対の前記切欠部が挿通される一対のガイド部が設けられ、前記雌部材の前記中空筒の内側壁面に前記雄部材の挿入完了状態において前記弾性脚部の前記先端部と当接し且つ分離する方向へ付勢する当接部を設け、前記雄部材の前記係止溝部が前記雌部材の前記係止部に係止するとともに、前記雄部材の前記先端部の外壁面が前記雌部材の前記当接部に当接すると挿入が完了して係合状態となることを特徴とする。
【発明の効果】
【００１１】
以上のように、本発明にかかるバックルによれば、雄部材の弾性脚部は係合部の先端部が連結されて閉鎖状の枠体に形成されているので、異物を引っかけたり又は挟み込んだりするおそれがないばかりでなく、雄部材の係合部に一対の係止溝部が設けられ、その係止溝部の近傍に係合状態を解除する一対の押圧部が外向きに突出して形成されているので、係合及び解除の操作において指先が挟まれてしまうという問題を解決することができる。また、雄部材の係合部を薄くすることができるので、解除の操作において強く押し込む必要がないことから操作性が向上する。
【００１２】
また、雌部材の中空筒の内側壁面に雄部材の挿入完了状態において弾性脚部の先端部と当接し且つ分離する方向へ付勢する当接部が設けられることにより、解除の操作の際に指先で押圧部を押し込むと同時に弾性脚部の先端部が当接部の付勢力と弾性脚部の弾性変形力によって抜き取り方向に押し出されるようになるので、解除操作が容易になる。
【００１３】
また、弾性脚部の先端部に切欠部が形成され、雌部材の中空筒の内側壁面に雄部材の挿入時において切欠部が挿通されるガイド部が設けられることにより、挿入の操作の際に縦方向のねじれを抑制して係合の安定性に優れた効果を発揮する。
【図面の簡単な説明】
【００１４】
【図１】本発明にかかるバックルの雄部材の一例を示す正面図である。
【図２】図１に示す雄部材の側面図である。
【図３】図１に示す雄部材の底面図である。
【図４】本発明にかかるバックルの雌部材の一例を示す正面図である。
【図５】図４に示す雌部材の側面図である。
【図６】図４に示す雌部材の平面図である。
【図７】本発明にかかるバックルの係合状態を示す縦断面図である。
【図８】本発明にかかるバックルの係合状態を示す横断面図である。
【発明を実施するための形態】
【００１５】
以下、本発明の実施の一形態について図面を参酌しながら説明する。なお、本発明のバックルの各構成については、以下の実施例に限定されるものではなく、使用状況によって適宜変更することができる。また、本発明のバックルは、弾性部材を利用した簡単な構成であることから、充分な強度を有するポリプロピレン、ポリアミド、ポリアセタール等の合成樹脂材料によって一体成形することができる。
【００１６】
図１は、本発明にかかるバックルの雄部材の一例を示す正面図、図２は側面図、図３は底面図である。
バックルの雄部材１０は、基部１１の一端に突設させた弾性脚部が連結されて閉鎖状の枠体に形成されている。弾性脚部には、図１に示すように基部１１の一端側から順に第１傾斜部１３（厚さ：１ｍｍ〜２ｍｍ程度、挿入方向に対する傾斜角度：１５度〜２０度程度）、押圧部１４、係止溝部１５（厚さ：１ｍｍ〜２ｍｍ程度、溝の深さ：０．７ｍｍ〜１．２ｍｍ程度）、係合部１６（厚さ：１．７ｍｍ〜３．２ｍｍ程度）、第２傾斜部１７（厚さ：１ｍｍ〜２ｍｍ程度、挿入方向に対する傾斜角度：２５度〜３５度程度）がそれぞれ一対に配置されており、先端部１８（厚さ：０．７ｍｍ〜１．２ｍｍ程度）により弾性脚部の先端側が連結されて閉鎖状の枠体になっている。これにより、係合部が開放状態になっている従来のバックルとは異なり、異物を引っかけたり又は挟み込んだりするおそれがない。
【００１７】
一対の係止溝部１５は、後述する雌部材２０の一対の係止部２５に係合するように形成された肉薄状の溝からなる。この係止溝部１５の近傍の基部１１側には、係合状態を解除する際に指先で押し込む一対の押圧部１４が、図１に示すように外向きに突出して形成されている。これにより、係合及び解除の操作において従来のバックルのように指先が挟まれてしまうという問題を解決することができる。
【００１８】
図４は、本発明にかかるバックルの雌部材の一例を示す正面図、図５は側面図、図６は平面図である。
バックルの雌部材２０は、中空筒形の形状に形成されている。中空筒２１には、図４に示すように挿入端部側から順に挿入部２３、係止部２５がそれぞれ一対に配置されている。雌部材２０の挿入端部の両側には、図５及び図６に示すように雄部材１０の一対の押圧部１４の突出アームが挿通される一対のガイド溝２４が設けられている。
【００１９】
図４乃至図６に示すように、雌部材２０の中空筒２１の内側壁面の対向する所定位置に雄部材１０の挿入完了状態において雄部材１０の弾性脚部の先端部１８と当接し且つ分離する方向へ付勢する当接部２６が設けられている。これにより、解除の操作の際に指先で押圧部を押し込むと同時に弾性脚部の先端部１８が当接部２６の付勢力により抜き取り方向に押し出されるので解除操作が容易になる。なお、当接部２６については、図示する内容に限定されるものではなく、先端部１８と当接し且つ分離する方向へ付勢する作用効果を奏するものであればよい。また、分離する方向へ付勢する力を高めるためには、弾性脚部の先端部１８が当接部２６に押し込まれて弾性変形した状態で当接するように設定する。
【００２０】
また、図１乃至図３に示すように、雄部材１０の弾性脚部の先端部１８には一対の切欠部１９が形成されており、図４乃至図６に示すように、雌部材２０の中空筒２１の内側壁面には雄部材１０の挿入時において一対の切欠部１９が挿通される一対のガイド部２７が設けられている。これにより、挿入操作の際に縦方向のねじれを抑制して係合の安定性に優れた効果を発揮する。なお、切欠部１９とガイド部２７については、図示する内容に限定されるものではなく、雄部材１０の挿入時において先端部１８を安定的にガイドする作用効果を奏するものであればよい。
【００２１】
次に、本実施形態の作用について説明する。先ず、バックルの雄部材１０の孔１２とバックルの雌部材２０の孔２２にベルトの両端部が取り付けられる。バックルの雌部材２０の挿入端部側からバックルの雄部材１０の弾性脚部を挿入すると、雄部材１０の第２傾斜部１７が雌部材２０の挿入部２３の間を通過し、雄部材１０の係合部１６が雌部材２０の挿入部２３の内壁面に接しながら進入し、雄部材１０の切欠部１９が雌部材２０のガイド部２７に挿通されながら更に進入を続け、雄部材１０の係止溝部１５が雌部材２０の係止部２５に係止するとともに、雄部材１０の先端部１８の外壁面が雌部材２０の当接部２６（図６の当接面２６ａ）に当接すると、挿入が完了して係合状態となる（図７及び図８参照）。
【００２２】
上記の係合状態を解除する際は、雄部材１０の押圧部１４を指先で押し込むと、雄部材１０の先端部１８が雌部材２０の当接部２６による分離する方向へ付勢する付勢力と弾性脚部自身の弾性変形力が相俟って雄部材１０が抜き取り方向に押し出され、係合状態が簡単に解除される。
【００２３】
以上より、本発明にかかるバックルによれば、従来のバックルよりも係合及び解除の操作性の向上を図ると共に、係合の安定性とがたつきの防止に優れた効果を奏する。併せて、一体成形が可能な簡単な構造であり、デザイン的にも自由度が高くコンパクトにすることも可能であり、製造コストの低減を図ることにも寄与する。
【符号の説明】
【００２４】
１０  雄部材
１１  基部
１２  孔
１３  第１傾斜部
１４  押圧部
１５  係止溝部
１６  係合部
１７  第２傾斜部
１８  先端部
１９  切欠部
２０  雌部材
２１  中空筒
２２  孔
２３  挿入部
２４  ガイド溝
２５  係止部
２６  当接部
２７  ガイド部
【図１】
0005931040.tif 000002
【図２】
0005931040.tif 000003
【図３】
0005931040.tif 000004
【図４】
0005931040.tif 000005
【図５】
0005931040.tif 000006
【図６】
0005931040.tif 000007
【図７】
0005931040.tif 000008
【図８】
0005931040.tif 000009